(57)【要約】【課題】電子写真方式の画像形成装置において，電源の数を減らす技術を提供すること。【解決手段】プリンタ１００は，感光体５１と，現像部５４と，転写部５５と，クリーナ５６とを備える電子写真方式の画像形成装置である。プリンタ１００は，クリーナ５６に清掃バイアスを出力する清掃電源６４と，転写部５５に転写バイアスを出力する転写電源６６と，トナーの帯電極性と同極性の吐出バイアスを出力する吐出電源６５と，吐出スイッチ６２と，を備えている。さらに，プリンタ１００は，吐出スイッチ６２を，吐出電源６５とクリーナ５６とが接続され，吐出電源６５と転写部５５とが接続されない状態である第１接続状態と，吐出電源６５と転写部５５とが接続され，吐出電源６５とクリーナ５６とが接続されない状態である第２接続状態と，に切り替える。【選択図】図２
2017142278.tif 000002
【特許請求の範囲】
【請求項１】
感光体と，
前記感光体上へのトナーの供給と，前記感光体上にあるトナーの回収と，を行う現像部材と，
前記感光体上のトナーをシートに転写させる転写回転体と，
前記感光体上のトナーを前記感光体から除去する清掃部材と，
前記清掃部材にトナーの帯電極性と逆極性のバイアスである清掃バイアスを出力する清掃電源と，
前記転写回転体にトナーの帯電極性と逆極性のバイアスである転写バイアスを出力する転写電源と，
トナーの帯電極性と同極性のバイアスである吐出バイアスを出力する吐出電源と，
スイッチ部材と，
制御部と，
を備え，
前記制御部は，
前記スイッチ部材を，前記吐出電源と前記清掃部材とが接続され，前記吐出電源と前記転写回転体とが接続されない状態である第１接続状態と，前記吐出電源と前記転写回転体とが接続され，前記吐出電源と前記清掃部材とが接続されない状態である第２接続状態と，に切り替える，
ことを特徴とする画像形成装置。
【請求項２】
請求項１に記載する画像形成装置であって，
前記制御部は，
前記感光体と前記転写回転体との間の転写ニップにシートが無い期間に，前記スイッチ部材の状態を切り替える，
ことを特徴とする画像形成装置。
【請求項３】
請求項２に記載する画像形成装置であって，
前記制御部は，
印刷指示を受け付けた場合，画像形成を開始する前に前記スイッチ部材を前記第２接続状態とし，その後に前記スイッチ部材を前記第１接続状態とする，
ことを特徴とする画像形成装置。
【請求項４】
請求項２または請求項３に記載する画像形成装置であって，
前記制御部は，
印刷が終了した場合に，前記スイッチ部材を前記第２接続状態とし，その後に前記スイッチ部材を前記第１接続状態とする，
ことを特徴とする画像形成装置。
【請求項５】
請求項１から請求項４のいずれか１つに記載する画像形成装置であって，
前記清掃部材は，回転体であり，
前記制御部は，
前記スイッチ部材を前記第１接続状態とした場合，前記第１接続状態を前記清掃部材の１回転分の時間よりも長い時間継続する，
ことを特徴とする画像形成装置。
【請求項６】
請求項１から請求項５のいずれか１つに記載する画像形成装置であって，
前記制御部は，
前記スイッチ部材を前記第２接続状態とした場合，前記第２接続状態を前記転写回転体の１回転分の時間よりも長い時間継続する，
ことを特徴とする画像形成装置。
【請求項７】
請求項１から請求項６のいずれか１つに記載する画像形成装置であって，
前記スイッチ部材と異なるスイッチ部材である清掃スイッチ部材を備え，
前記制御部は，
前記清掃スイッチ部材を，前記清掃電源と前記清掃部材とが接続される状態である清掃接続状態と，前記清掃電源と前記清掃部材とが接続されない状態である清掃非接続状態と，に切り替え，
前記吐出電源から前記清掃部材に前記吐出バイアスが印加されている間は，前記清掃スイッチ部材を前記清掃非接続状態にする，
ことを特徴とする画像形成装置。
【請求項８】
請求項１から請求項７のいずれか１つに記載する画像形成装置であって，
前記スイッチ部材と異なるスイッチ部材である転写スイッチ部材を備え，
前記制御部は，
前記転写スイッチ部材を，前記転写電源と前記転写回転体とが接続される状態である転写接続状態と，前記転写電源と前記転写回転体とが接続されない状態である転写非接続状態と，に切り替え，
前記吐出電源から前記転写回転体に前記吐出バイアスが印加されている間は，前記転写スイッチ部材を前記転写非接続状態にする，
ことを特徴とする画像形成装置。
【請求項９】
請求項１から請求項８のいずれか１つに記載する画像形成装置であって，
前記制御部は，
前記転写電源から前記転写回転体に前記転写バイアスが印加されている間は，前記スイッチ部材を，前記清掃部材にも前記転写回転体にも前記吐出電源が接続されていない状態にする，
ことを特徴とする画像形成装置。
【請求項１０】
感光体と，
前記感光体上へのトナーの供給と，前記感光体上にあるトナーの回収と，を行う現像部材と，
前記感光体上のトナーをシートに転写させる転写回転体と，
前記感光体上のトナーを前記感光体から除去する清掃部材と，
前記清掃部材にトナーの帯電極性と逆極性のバイアスである清掃バイアスを出力する清掃電源と，
前記転写回転体にトナーの帯電極性と逆極性のバイアスである転写バイアスを出力する転写電源と，
トナーの帯電極性と同極性のバイアスである吐出バイアスを出力する吐出電源と，
第１のスイッチ部材と，
第２のスイッチ部材と，
制御部と，
を備え，
前記制御部は，
前記第１のスイッチ部材を，前記吐出電源と前記清掃部材とが接続される状態である第１接続状態と，前記吐出電源と前記清掃部材とが接続されない状態である第１非接続状態と，に切り替え，
前記第２のスイッチ部材を，前記吐出電源と前記転写回転体とが接続される状態である第２接続状態と，前記吐出電源と前記転写回転体とが接続されない状態である第２非接続状態と，に切り替える，
ことを特徴とする画像形成装置。
【請求項１１】
請求項１０に記載する画像形成装置であって，
前記制御部は，
前記第１のスイッチ部材が前記第１接続状態である間に，前記第２のスイッチ部材を前記第２接続状態に切り替える，または，前記第２のスイッチ部材が前記第２接続状態である間に，前記第１のスイッチ部材を前記第１接続状態に切り替える，
ことを特徴とする画像形成装置。
【請求項１２】
請求項１０または請求項１１に記載する画像形成装置であって，
第３のスイッチ部材を備え，
前記制御部は，
前記第３のスイッチ部材を，前記清掃電源と前記清掃部材とが接続される状態である第３接続状態と，前記清掃電源と前記清掃部材とが接続されない状態である第３非接続状態と，に切り替え，
前記吐出電源から前記清掃部材に前記吐出バイアスが印加されている間は，前記第３のスイッチ部材を前記第３非接続状態にする，
ことを特徴とする画像形成装置。
【請求項１３】
請求項１０から請求項１２のいずれか１つに記載する画像形成装置であって，
第４のスイッチ部材を備え，
前記制御部は，
前記第４のスイッチ部材を，前記転写電源と前記転写回転体とが接続される状態である第４接続状態と，前記転写電源と前記転写回転体とが接続されない状態である第４非接続状態と，に切り替え，
前記吐出電源から前記転写回転体に前記吐出バイアスが印加されている間は，前記第４のスイッチ部材を前記第４非接続状態にする，
ことを特徴とする画像形成装置。
【発明の詳細な説明】
【技術分野】
【０００１】
本発明は，画像形成装置に関する。さらに詳細には，感光体周辺の部材に取り込まれたトナーを感光体上に吐き出し，現像装置によって感光体上のトナーを回収する技術に関するものである。
【背景技術】
【０００２】
従来から，電子写真方式によって画像を形成する画像形成装置では，感光体周辺の部材に取り込まれたトナーを感光体上に吐き出し，現像装置によって感光体上のトナーを回収する技術が知られている。具体的には，感光体と接する転写部材について，転写時とは逆極性のバイアスを印加し，転写部材に付着したトナーを感光体上に戻す構成や，感光体と接する清掃部材について，清掃時とは逆極性のバイアスを印加し，清掃部材に付着したトナーを感光体上に戻す構成が知られている。
【０００３】
感光体周辺の部材に画像形成時と逆極性のバイアスを印加する構成を開示した文献としては，例えば特許文献１がある。特許文献１には，感光体ドラムと，クリーニングローラと，転写ローラと，クリーニングローラにバイアスを印加する２つの電源と，転写ローラにバイアスを印加する２つの電源と，を備える画像形成装置が開示されている。具体的に，特許文献１の画像形成装置は，感光体上のトナーを除去するためのクリーニングバイアスを印加する電源と，クリーニングバイアスとは逆極性であってトナーを感光体上に吐き出すためのクリーニング吐き出しバイアスを印加する電源と，を備えている。また，特許文献１の画像形成装置は，感光体上のトナーを引き寄せるための転写バイアスを印加する電源と，転写バイアスとは逆極性であってトナーを感光体上に吐き出すための転写吐き出しバイアスを印加する電源と，を備えている。
【先行技術文献】
【特許文献】
【０００４】
【特許文献１】特開平９−３２５５８７号公報
【発明の概要】
【発明が解決しようとする課題】
【０００５】
しかしながら，前記した従来の技術には，次のような問題があった。すなわち，感光体周辺の部材であるクリーニングローラと転写ローラとにそれぞれ２つの電源が有り，電源の数が多い。そのため，コストアップや構成の複雑化を招く。
【０００６】
本発明は，前記した従来の技術が有する問題点を解決するためになされたものである。すなわちその課題とするところは，電子写真方式の画像形成装置において，電源の数を減らす技術を提供することにある。
【課題を解決するための手段】
【０００７】
この課題の解決を目的としてなされた画像形成装置は，感光体と，前記感光体上へのトナーの供給と，前記感光体上にあるトナーの回収と，を行う現像部材と，前記感光体上のトナーをシートに転写させる転写回転体と，前記感光体上のトナーを前記感光体から除去する清掃部材と，前記清掃部材にトナーの帯電極性と逆極性のバイアスである清掃バイアスを出力する清掃電源と，前記転写回転体にトナーの帯電極性と逆極性のバイアスである転写バイアスを出力する転写電源と，トナーの帯電極性と同極性のバイアスである吐出バイアスを出力する吐出電源と，スイッチ部材と，制御部と，を備え，前記制御部は，前記スイッチ部材を，前記吐出電源と前記清掃部材とが接続され，前記吐出電源と前記転写回転体とが接続されない状態である第１接続状態と，前記吐出電源と前記転写回転体とが接続され，前記吐出電源と前記清掃部材とが接続されない状態である第２接続状態と，に切り替える，ことを特徴としている。
【０００８】
本明細書に開示される画像形成装置は，清掃部材に清掃バイアスを出力する清掃電源と，転写回転体に転写バイアスを出力する転写電源と，吐出バイアスを出力する吐出電源と，スイッチ部材とを備えている。そして，吐出電源は，スイッチ部材によって，清掃部材に接続されて転写回転体に接続されない状態と，転写回転体に接続されて清掃部材に接続されない状態と，に切り替えられる。
【０００９】
すなわち，本明細書に開示される画像形成装置では，吐出電源は，清掃部材と接続される状態と，転写回転体と接続される状態とに切り替えられる。そのため，清掃部材に吐出バイアスを印加する電源と，転写回転体に吐出バイアスを印加する電源とが，別々の電源ではなく，共通の吐出電源となっている。これにより，従来の構成に比較して電源の数が少ない画像形成装置となっている。
【００１０】
本明細書には，感光体と，前記感光体上へのトナーの供給と，前記感光体上にあるトナーの回収と，を行う現像部材と，前記感光体上のトナーをシートに転写させる転写回転体と，前記感光体上のトナーを前記感光体から除去する清掃部材と，前記清掃部材にトナーの帯電極性と逆極性のバイアスである清掃バイアスを出力する清掃電源と，前記転写回転体にトナーの帯電極性と逆極性のバイアスである転写バイアスを出力する転写電源と，トナーの帯電極性と同極性のバイアスである吐出バイアスを出力する吐出電源と，第１のスイッチ部材と，第２のスイッチ部材と，制御部と，を備え，前記制御部は，前記第１のスイッチ部材を，前記吐出電源と前記清掃部材とが接続される状態である第１接続状態と，前記吐出電源と前記清掃部材とが接続されない状態である第１非接続状態と，に切り替え，前記第２のスイッチ部材を，前記吐出電源と前記転写回転体とが接続される状態である第２接続状態と，前記吐出電源と前記転写回転体とが接続されない状態である第２非接続状態と，に切り替える，ことを特徴とする画像形成装置も記載されている。
【００１１】
上記画像形成装置の機能を実現するための制御方法，コンピュータプログラム，および当該コンピュータプログラムを格納するコンピュータ読取可能な記憶媒体も，新規で有用である。
【発明の効果】
【００１２】
本発明によれば，電子写真方式の画像形成装置において，電源の数を減らす技術が実現される。
【図面の簡単な説明】
【００１３】
【図１】実施の形態にかかるプリンタの概略構成を示す断面図である。
【図２】第１の形態にかかるプリンタの電源の接続構成を示す説明図である。
【図３】プリンタの電気的構成を示すブロック図である。
【図４】プリンタの印刷処理の手順を示すフローチャートである。
【図５】第１の形態のプリンタにおける各スイッチの切り替えタイミングを示すタイミングチャートである。
【図６】第２の形態にかかるプリンタの電源の接続構成を示す説明図である。
【図７】第２の形態のプリンタにおける各スイッチの切り替えタイミングを示すタイミングチャートである。
【発明を実施するための形態】
【００１４】
以下，本発明にかかる画像形成装置を具体化した第１の形態について，添付図面を参照しつつ詳細に説明する。本形態は，電子写真方式のモノクロプリンタに本発明を適用したものである。
【００１５】
本形態のプリンタ１００は，図１に示すように，シートＳに画像を印刷する画像形成部１０と，印刷前のシートＳを収容する給紙トレイ１１と，印刷済みのシートＳを収容する排紙トレイ１２とを備えている。さらに，プリンタ１００の内部には，給紙トレイ１１から画像形成部１０を経由して排紙トレイ１２へと至るシートＳの経路であるシート搬送路１３が形成されている。
【００１６】
画像形成部１０は，電子写真方式により，シート搬送路１３を通って搬送されるシートＳに画像を形成する。プリンタ１００の画像形成部１０は，図１に示すように，感光体５１，帯電部５２，露光部５３，現像部５４，転写部５５，クリーナ５６，及び定着部５７を有している。感光体５１は，図１の紙面に直交する方向の回転軸の周りに，図１中で時計回り方向に回転される回転体である。そして，帯電部５２，露光部５３，現像部５４，転写部５５，及びクリーナ５６は，感光体５１の周りに，感光体５１の回転方向についてこの順で配置されている。なお，本形態のプリンタ１００は，非磁性１成分トナーであって，帯電極性が正極性のトナーを使用する。
【００１７】
帯電部５２は，例えば，スコロトロン帯電器であり，感光体５１の表面を正極性に帯電させる。露光部５３は，例えば，レーザ露光器であり，感光体５１に部分的にレーザ光を照射して感光体５１の表面電位の絶対値を低下させることにより，感光体５１上に画像データに基づく静電潜像を形成させる。帯電部５２および露光部５３は，いずれも，感光体５１に対して非接触に配置されている。
【００１８】
現像部５４は，感光体５１の表面に接触して配置された現像ローラ５４１を備える。現像部５４は，トナーを収容し，感光体５１上の静電潜像にトナーを供給することで現像して，感光体５１上にトナー像を形成させる。現像ローラ５４１は，画像形成時には，正極性の現像バイアスが印加され，感光体５１上へトナーを供給する。現像ローラ５４１は，画像形成時には，感光体５１よりやや速い周速で，感光体５１と逆の回転方向に回転される。現像部５４は，現像部材の一例である。
【００１９】
転写部５５は，例えば，ローラ状の回転部材であり，感光体５１の表面に接触して配置されている。転写部５５は，画像形成時には，負極性の転写バイアスが印加され，感光体５１上のトナー像を電気的に引き寄せる。また，転写部５５は，画像形成時には，感光体５１とほぼ同じ周速で，感光体５１と逆の回転方向に回転される。なお，図１に破線で囲んで示すように，転写部５５と感光体５１との間には，感光体５１上のトナーを転写可能な範囲である転写ニップ５５１が形成されている。つまり，プリンタ１００は，搬送中のシートＳが転写ニップ５５１に有る間に，感光体５１から当該シートＳにトナー像を転写する。転写部５５は，転写回転体の一例である。
【００２０】
クリーナ５６は，例えば，スポンジローラであり，感光体５１の表面に接触して配置されている。クリーナ５６は，画像形成時には，負極性の清掃バイアスが印加され，転写後も感光体５１上に残る残トナーを電気的に引き寄せて，感光体５１から除去する。クリーナ５６は，感光体５１と異なる周速にて回転されればよく，回転方向は何れでもよい。クリーナ５６は，清掃部材の一例である。
【００２１】
プリンタ１００は，図２に示すように，転写部５５とクリーナ５６とに各種のバイアスを印加するための構成を有している。具体的に，プリンタ１００は，３つのスイッチである清掃スイッチ６１，吐出スイッチ６２，及び転写スイッチ６３と，３つの電源である清掃電源６４，吐出電源６５，及び転写電源６６と，を備えている。本形態のプリンタ１００では，清掃スイッチ６１は，清掃スイッチ部材の一例であり，吐出スイッチ６２は，スイッチ部材の一例であり，転写スイッチ６３は，転写スイッチ部材の一例である。
【００２２】
各電源は，それぞれ，商用電源から供給された電力を変換して，所定のバイアスを生成する回路を備えている。各電源は，同一の回路基板上に設けられていてもよいし，異なる回路基板上に設けられていてもよい。また，各電源によって印加される各種のバイアスは，電圧でもよいし，電流や電力の供給を介して，結果的に印加対象の電位を変化させるものであってもよい。なお，プリンタ１００は，清掃電源６４，吐出電源６５，転写電源６６以外にも複数の電源を有しているが，他の箇所は既知の技術であり，以下では，転写部５５とクリーナ５６に関わる部分のみを説明する。
【００２３】
清掃スイッチ６１は，クリーナ５６と清掃電源６４との電気的接続を切り替えるスイッチである。また，清掃電源６４は，クリーナ５６にトナーの帯電極性と逆極性のバイアスである清掃バイアスを印加する電源回路を備える。そして，プリンタ１００は，清掃スイッチ６１の制御により，クリーナ５６と清掃電源６４とが電気的に接続される接続状態と，クリーナ５６と清掃電源６４とが電気的に接続されない非接続状態と，を切り替える。清掃スイッチ６１の接続状態は，清掃接続状態の一例であり，清掃スイッチ６１の非接続状態は，清掃非接続状態の一例である。
【００２４】
つまり，プリンタ１００は，清掃スイッチ６１を接続状態とすることにより，クリーナ５６に負極性の清掃バイアスを印加する。クリーナ５６は，負極性の清掃バイアスが印加されることで，感光体５１上のトナーを電気的に引き寄せ，感光体５１からトナーを除去する。なお，清掃スイッチ６１の非接続状態では，クリーナ５６がＧＮＤまたは０Ｖに接続される構成としてもよい。
【００２５】
転写スイッチ６３は，転写部５５と転写電源６６との電気的接続を切り替えるスイッチである。また，転写電源６６は，転写部５５にトナーの帯電極性と逆極性のバイアスである転写バイアスを印加する電源回路を備える。そして，プリンタ１００は，転写スイッチ６３の制御により，転写部５５と転写電源６６とが電気的に接続される接続状態と，転写部５５と転写電源６６とが電気的に接続されない非接続状態と，を切り替える。転写スイッチ６３の接続状態は，転写接続状態の一例であり，転写スイッチ６３の非接続状態は，転写非接続状態の一例である。
【００２６】
つまり，プリンタ１００は，転写スイッチ６３を接続状態とすることにより，転写部５５に負極性の転写バイアスを印加する。転写部５５は，負極性の転写バイアスが印加されることで，感光体５１上のトナーを電気的に引き寄せ，転写ニップ５５１にてシートＳにトナー像を転写する。なお，転写スイッチ６３の非接続状態では，転写部５５がＧＮＤまたは０Ｖに接続される構成としてもよい。
【００２７】
なお，本形態の転写電源６６は，出力電圧を制御可能な電源である。そして，プリンタ１００は，例えば，搬送中のシートＳの種類に応じて，転写バイアスの大きさを変更する。すなわち，転写電源６６の出力電圧を可変にすることで，高画質化を図ることができる。一方，清掃電源６４は，感光体５１上のトナーを引き寄せて感光体５１から除去できればよく，精密な出力制御は不要である。そのため，本形態の清掃電源６４は，所定の固定電圧を出力する電源である。
【００２８】
吐出スイッチ６２は，吐出電源６５とクリーナ５６，または，吐出電源６５と転写部５５，の電気的接続を切り替えるスイッチである。また，吐出電源６５は，クリーナ５６または転写部５５にトナーの帯電極性と同極性のバイアスである吐出バイアスを印加する電源回路を備える。
【００２９】
そして，プリンタ１００は，吐出スイッチ６２の制御により，クリーナ５６と吐出電源６５とが電気的に接続される第１接続状態と，転写部５５と吐出電源６５とが電気的に接続される第２接続状態と，を切り替える。第１接続状態では，転写部５５と吐出電源６５とは，電気的に接続されない。また，第２接続状態では，クリーナ５６と吐出電源６５とは，電気的に接続されない。吐出スイッチ６２は，さらに，第１接続状態でも第２接続状態でもない非接続状態への切り替えも可能である。吐出スイッチ６２の非接続状態では，吐出電源６５は，クリーナ５６にも転写部５５にも接続されない。
【００３０】
つまり，プリンタ１００は，吐出スイッチ６２を第１接続状態とすることにより，クリーナ５６に正極性の吐出バイアスを印加する。クリーナ５６は，正極性の吐出バイアスが印加されることで，感光体５１から除去したトナーを電気的に感光体５１に吐き出す。また，プリンタ１００は，吐出スイッチ６２を第２接続状態とすることにより，転写部５５に正極性の吐出バイアスを印加する。転写部５５は，正極性の吐出バイアスが印加されることで，付着しているトナーを電気的に感光体５１に吐き出す。
【００３１】
本形態の吐出電源６５は，所定の固定電圧を出力する電源である。すなわち，クリーナ５６に印加される吐出バイアスと，転写部５５に印加される吐出バイアスとは，電圧値が等しい。なお，例えば，吐出スイッチ６２とクリーナ５６との間，あるいは，吐出スイッチ６２と転写部５５との間に，抵抗部材を設け，クリーナ５６に印加される吐出バイアスと，転写部５５に印加される吐出バイアスとで，電圧値が異なる構成としてもよい。
【００３２】
続いて，プリンタ１００の電気的構成について説明する。プリンタ１００は，図３に示すように，ＣＰＵ３１と，ＲＯＭ３２と，ＲＡＭ３３と，ＮＶＲＡＭ（不揮発性ＲＡＭ）３４とを含むコントローラ３０を備えている。また，プリンタ１００は，画像形成部１０と，ネットワークＩＦ（ネットワークインターフェース）３７と，操作パネル４０と，を備え，これらがコントローラ３０に電気的に接続されている。画像形成部１０には，清掃スイッチ６１と，吐出スイッチ６２と，転写スイッチ６３と，清掃電源６４と，吐出電源６５と，転写電源６６とが含まれている。
【００３３】
ＲＯＭ３２には，プリンタ１００を制御するための各種制御プログラムや各種設定，初期値等が記憶されている。ＲＡＭ３３は，各種制御プログラムが読み出される作業領域として，あるいは，データを一時的に記憶する記憶領域として利用される。
【００３４】
ＣＰＵ３１は，ＲＯＭ３２から読み出した制御プログラムに従って，その処理結果をＲＡＭ３３またはＮＶＲＡＭ３４に記憶させながら，プリンタ１００の各構成要素を制御する。ＣＰＵ３１は，例えば，清掃スイッチ６１と吐出スイッチ６２と転写スイッチ６３との状態を制御する。ＣＰＵ３１は，制御部の一例である。また，コントローラ３０が制御部であってもよい。なお，図３中のコントローラ３０は，ＣＰＵ３１等，プリンタ１００の制御に利用されるハードウェアを纏めた総称であって，実際にプリンタ１００に存在する単一のハードウェアを表すとは限らない。
【００３５】
ネットワークＩＦ３７は，ネットワークを介して接続された装置と通信を行うためのハードウェアである。通信方法は，有線でも無線でもよい。操作パネル４０は，ユーザに対する報知の表示と，ユーザによる指示入力の受け付けとを担うハードウェアである。操作パネル４０は，例えば，液晶ディスプレイと，スタートキー，ストップキー，テンキー等から構成されるボタン群とを備える。
【００３６】
続いて，プリンタ１００における画像形成動作について説明する。以下では，清掃スイッチ６１と転写スイッチ６３について，接続状態をオン，非接続状態をオフとする。具体的には，例えば，清掃スイッチ６１をオンとするとは，クリーナ５６と清掃電源６４とを電気的に接続される接続状態とすることであり，清掃スイッチ６１をオフとするとは，クリーナ５６と清掃電源６４とを電気的に接続されない非接続状態とすることである。また，転写スイッチ６３をオンとするとは，転写部５５と転写電源６６とを電気的に接続される接続状態とすることであり，転写スイッチ６３をオフとするとは，転写部５５と転写電源６６とが電気的に接続されない非接続状態とすることである。
【００３７】
プリンタ１００は，例えば，ネットワークＩＦ３７や操作パネル４０を介して，印刷指示を受け付けると，印刷の準備動作を開始する。具体的には，プリンタ１００は，感光体５１等の回転部材の回転を開始し，帯電部５２や露光部５３の立ち上げ，定着部５７の予熱等を実行する。なお，これらの準備動作は，印刷指示の受け付け時に既に完了している場合もある。
【００３８】
プリンタ１００は，印刷の準備動作が完了した後，印刷動作を開始する。具体的に，プリンタ１００は，感光体５１の表面を，帯電部５２にて帯電させ，露光部５３にて露光させる。これにより，感光体５１の表面上に印刷データに基づいた静電潜像が形成される。次に，プリンタ１００は，現像部５４にて静電潜像にトナーを供給させ，感光体５１上にトナー像を形成する。
【００３９】
また，プリンタ１００は，給紙トレイ１１からシートＳを給紙し，シート搬送路１３を通って，感光体５１と転写部５５との間の転写ニップ５５１へと搬送する。そして，プリンタ１００は，感光体５１上のトナー像を，転写部５５にてシートＳに転写させる。そのために，プリンタ１００は，少なくともシートＳが転写ニップ５５１を搬送されている期間中，転写スイッチ６３をオンとして，転写部５５に転写バイアスを印加する。
【００４０】
さらに，プリンタ１００は，トナー像の転写されたシートＳを定着部５７に搬送し，定着部５７にてトナー像をシートＳに熱定着させる。そして，プリンタ１００は，画像の形成されたシートＳを排紙トレイ１２へ排紙する。
【００４１】
また，印刷の実行中，プリンタ１００は，清掃スイッチ６１をオンとして，クリーナ５６に清掃バイアスを印加する。これにより，転写後も感光体５１上に付着している残トナーは，電気的にクリーナ５６に引き寄せられて，感光体５１から除去される。なお，印刷動作の実行中，プリンタ１００は，吐出スイッチ６２を非接続状態とし，クリーナ５６と転写部５５とのいずれにも吐出バイアスを印加しない。
【００４２】
一方，プリンタ１００は，印刷の実行中以外の任意のタイミングで，クリーナ５６および転写部５５に吐出バイアスを印加して吐出動作を実行する。例えば，プリンタ１００は，印刷指示を受け付けた後であって印刷動作を開始する前，つまり，静電潜像の現像を開始する前に吐出動作を実行する。また，例えば，プリンタ１００は，印刷動作の終了後，つまり，転写ニップ５５１をシートＳが通過した後に吐出動作を実行する。
【００４３】
吐出動作では，プリンタ１００は，転写スイッチ６３をオフとした後，吐出スイッチ６２を第２接続状態として，転写部５５と吐出電源６５とを電気的に接続させる。これにより，転写部５５に付着しているトナーは，感光体５１上に吐き出される。さらに，プリンタ１００は，清掃スイッチ６１をオフとした後，吐出スイッチ６２を第１接続状態として，クリーナ５６と吐出電源６５とを電気的に接続させる。これにより，クリーナ５６に引き寄せられてクリーナ５６に付着しているトナーは，感光体５１上に吐き出される。なお，第１接続状態とする期間と第２接続状態とする期間との順序は，逆でもよい。
【００４４】
さらに，感光体５１上に吐き出されたトナーは，感光体５１の回転に伴って，現像部５４に対向する位置まで移動する。そして，プリンタ１００では，感光体５１上のトナーを現像部５４にて回収し，再利用する。プリンタ１００は，吐き出されたトナーを現像部５４にて回収する場合，例えば，帯電部５２にて感光体５１の表面を帯電させ，感光体５１の表面電位を現像ローラ５４１の電位よりも高い状態とする。これにより，感光体５１上のトナーは，電気的に現像ローラ５４１へ移動し，現像部５４に回収される。
【００４５】
続いて，上述の吐出動作を含む印刷動作を実現する印刷処理の手順について，図４のフローチャートおよび図５のタイミングチャートを参照しつつ説明する。この印刷処理は，印刷準備動作が完了していない状態で印刷実行の指示を受け付けたことを契機に，ＣＰＵ３１によって実行される。
【００４６】
この印刷処理では，ＣＰＵ３１は，先ず，プリンタ１００の各部に印刷準備動作を開始させる（Ｓ１０１）。ＣＰＵ３１は，印刷準備動作にて，感光体５１，クリーナ５６，転写部５５等の回転部材を回転駆動するモータを動作させる。なお，図５に示すように，印刷準備動作の開始時には，清掃スイッチ６１と転写スイッチ６３は，いずれもオフとなっている。また，吐出スイッチ６２は，非接続状態となっている。つまり，クリーナ５６には，清掃バイアスも吐出バイアスも印加されていない。また，転写部５５には，転写バイアスも吐出バイアスも印加されていない。
【００４７】
印刷準備動作の開始後，ＣＰＵ３１は，吐出スイッチ６２を第２接続状態とする（Ｓ１０２）。これにより，転写部５５に吐出バイアスが印加される。そして，ＣＰＵ３１は，転写部５５が１回転するのに要する時間が経過したか否かを判断する（Ｓ１０３）。すなわち，吐出スイッチ６２を第２接続状態としてから転写ローラが１周したか否かを判断する。経過していないと判断した場合（Ｓ１０３：ＮＯ），ＣＰＵ３１は，経過するまで待機する。
【００４８】
つまり，プリンタ１００は，図５に示すように，吐出スイッチ６２を第２接続状態とした後，所定の期間Ｔｔにわたって第２接続状態を継続する。図５中の期間Ｔｔは，転写部５５が１回転する時間より長い期間である。これにより，転写部５５の全周にわたってトナーの吐き出しが行われる。
【００４９】
転写部５５が１回転するのに要する時間が経過したと判断した場合（Ｓ１０３：ＹＥＳ），ＣＰＵ３１は，吐出スイッチ６２を第２接続状態から第１接続状態へと切り替える（Ｓ１０４）。これにより，クリーナ５６に吐出バイアスが印加される。そして，ＣＰＵ３１は，クリーナ５６が１回転するのに要する時間が経過したか否かを判断する（Ｓ１０５）。経過していないと判断した場合（Ｓ１０５：ＮＯ），ＣＰＵ３１は，経過するまで待機する。
【００５０】
つまり，プリンタ１００は，図５に示すように，吐出スイッチ６２を第１接続状態とした後，所定の期間Ｔｃにわたって第１接続状態を継続する。図５中の期間Ｔｃは，クリーナ５６が１回転する時間より長い期間である。これにより，クリーナ５６の全周にわたってトナーの吐き出しが行われる。
【００５１】
本形態のプリンタ１００では，先に転写部５５からの吐き出しを実行した後，クリーナ５６からの吐き出しを実行するので，転写部５５から吐き出されたトナーをクリーナ５６が不要に保持する機会は低減されている。また，図５に示すように，ＣＰＵ３１は，Ｓ１０２またはＳ１０４にてクリーナ５６や転写部５５に吐出バイアスを印加させている期間中，清掃スイッチ６１と転写スイッチ６３との何れもオフのままとする。これにより，クリーナ５６への，清掃バイアスと吐出バイアスとの同時印加が回避される。また，転写部５５への，転写バイアスと吐出バイアスとの同時印加が回避される。
【００５２】
なお，本形態の吐出スイッチ６２は，機械的な切り替えスイッチであり，切り替え時には，何れにも接続されていない移行期間がある。つまり，吐出スイッチ６２には，第１接続状態と第２接続状態との一方から他方に切り替える際，一方から他方になるまでの間に，クリーナ５６にも転写部５５にも吐出バイアスが印加されない非接続状態の期間がある。図５では，この移行期間を誇張して示している。
【００５３】
クリーナ５６が１回転するのに要する時間が経過したと判断した場合（Ｓ１０５：ＹＥＳ），ＣＰＵ３１は，吐出スイッチ６２を第１接続状態から非接続状態へと切り替える（Ｓ１０６）。
【００５４】
次に，ＣＰＵ３１は，印刷準備動作が完了したか否かを判断する（Ｓ１０８）。印刷準備動作が完了していないと判断した場合（Ｓ１０８：ＮＯ），ＣＰＵ３１は，印刷準備動作が完了するのを待つ。そして，印刷準備動作が完了したと判断した場合（Ｓ１０８：ＹＥＳ），ＣＰＵ３１は，印刷動作を開始する（Ｓ１１０）。
【００５５】
そして，図５に示すように，ＣＰＵ３１は，吐出スイッチ６２を非接続状態としたままで，清掃スイッチ６１と転写スイッチ６３とをオンとする。ＣＰＵ３１は，シートＳが転写ニップ５５１に到達するタイミングよりも所定の期間Ｔｐ以上前に，清掃バイアスと転写バイアスとの印加を開始させる。所定の期間Ｔｐは，感光体５１の１回転に要する時間である。なお，図５中の期間Ｔｓは，印刷動作によって，シートＳが転写ニップ５５１を通過している転写期間である。
【００５６】
つまり，ＣＰＵ３１は，清掃スイッチ６１と転写スイッチ６３とをオンとした後に期間Ｔｐ以上が経過してから，シートＳが転写ニップ５５１に到達するように，印刷動作を開始する。これにより，シートＳが転写ニップ５５１に到達するまでに，感光体５１の帯電電位を安定させることができる。なお，清掃スイッチ６１のオンと転写スイッチ６３のオンとは，何れが先でもよいし，同時でもよい。
【００５７】
また，図５に示すように，ＣＰＵ３１は，転写期間Ｔｓ中には，各スイッチの切り替えを行わない。具体的には，ＣＰＵ３１は，転写期間Ｔｓ中には吐出スイッチ６２を非接続状態のままとし，転写ニップ５５１にシートＳが無い期間に吐出スイッチ６２の切り替えを行う。従って，スイッチの切替動作による画質への影響は抑制されている。
【００５８】
ＣＰＵ３１は，印刷動作を開始した後，転写期間Ｔｓが経過し，シートＳの後端が転写ニップを通過して，シートＳの通過が完了したか否かを判断する（Ｓ１１１）。例えば，プリンタ１００は，シートＳの搬送路中の複数の箇所に，シートＳの有無に応じて異なる信号を出力するセンサを備える。ＣＰＵ３１は，当該センサの１つの出力信号に基づいて，シートＳの後端が転写ニップを通過したタイミングを取得できる。つまり，ＣＰＵ３１は，センサと転写ニップとの位置関係と，シートＳの搬送速度とを利用して，シートＳの通過の完了を判断する。シートＳの通過が完了していないと判断した場合（Ｓ１１１：ＮＯ），ＣＰＵ３１は，完了するまで印刷動作を継続する。
【００５９】
一方，シートＳの通過が完了したと判断した場合（Ｓ１１１：ＹＥＳ），ＣＰＵ３１は，吐出スイッチ６２を第２接続状態とする（Ｓ１１２）。なお，図５に示すように，ＣＰＵ３１は，転写期間Ｔｓの後，所定のマージン期間Ｔｍ後に転写スイッチ６３をオフとする。そして，ＣＰＵ３１は，Ｓ１１２を，転写スイッチ６３をオフとした後に実行する。これにより，転写部５５への，転写バイアスと吐出バイアスとの同時印加が回避される。
【００６０】
そして，ＣＰＵ３１は，転写部５５が１回転するのに要する時間が経過したか否かを判断する（Ｓ１１３）。経過していないと判断した場合（Ｓ１１３：ＮＯ），ＣＰＵ３１は，経過するまで待機する。
【００６１】
転写部５５が１回転するのに要する時間が経過したと判断した場合（Ｓ１１３：ＹＥＳ），ＣＰＵ３１は，吐出スイッチ６２を第２接続状態から第１接続状態へと切り替える（Ｓ１１４）。なお，ＣＰＵ３１は，転写期間Ｔｓの後，感光体５１の１周にかかる期間Ｔｐ以上の時間が経過してから，清掃スイッチ６１をオフとする。そして，ＣＰＵ３１は，Ｓ１１４を，清掃スイッチ６１をオフとした後に実行する。これにより，クリーナ５６への，清掃バイアスと吐出バイアスとの同時印加が回避される。
【００６２】
そして，ＣＰＵ３１は，クリーナ５６が１回転するのに要する時間が経過したか否かを判断する（Ｓ１１５）。経過していないと判断した場合（Ｓ１１５：ＮＯ），ＣＰＵ３１は，経過するまで待機する。クリーナ５６が１回転するのに要する時間が経過したと判断した場合（Ｓ１１５：ＹＥＳ），ＣＰＵ３１は，吐出スイッチ６２を第１接続状態から非接続状態へと切り替え（Ｓ１１６），吐出バイアスの印加を停止して，印刷処理を終了する。
【００６３】
以上，詳細に説明したように，第１の形態のプリンタ１００は，清掃電源６４と，吐出電源６５と，転写電源６６と，清掃スイッチ６１と，吐出スイッチ６２と，転写スイッチ６３と，を備える。そして，プリンタ１００は，各スイッチの切り替えによって，クリーナ５６や転写部５５と，各電源との接続を切り替える。そして，プリンタ１００では，クリーナ５６へ吐出バイアスを印加する電源と転写部５５へ吐出バイアスを印加する電源とを共通化し，１つの吐出電源６５としている。吐出バイアスは，精密な制御は不要であり，共通の吐出電源６５としても，画質への影響は小さい。従って，クリーナ５６と転写部５５とに吐出バイアス用の電源を個別に設ける構成に比較して，電源の個数を減らすことができる。
【００６４】
一方，プリンタ１００では，クリーナ５６へ清掃バイアスを印加する清掃電源６４と，転写部５５へ転写バイアスを印加する転写電源６６とが，それぞれ個別の電源となっている。すなわち，精密な制御を要求される転写バイアスを印加する転写電源６６は，清掃電源６４とは別に設けられているので，シートの種類等に応じて転写バイアスを好適に設定でき，高画質な画像形成が期待できる。
【００６５】
続いて，本発明にかかる画像形成装置を具体化した第２の形態について，添付図面を参照しつつ詳細に説明する。第２の形態のプリンタ２００は，第１の形態のプリンタ１００と電源の構成は同様であるが，スイッチの構成が異なる。以下では，第１の形態と同様の構成については，同じ符号を付して説明を省略する。
【００６６】
第２の形態のプリンタ２００は，図６に示すように，第１の形態の吐出スイッチ６２に代えて，清掃吐出スイッチ６８と転写吐出スイッチ６９とを備えている。本形態のプリンタ２００では，清掃吐出スイッチ６８は，第１のスイッチ部材の一例であり，転写吐出スイッチ６９は，第２のスイッチ部材の一例である。
【００６７】
清掃吐出スイッチ６８は，クリーナ５６と吐出電源６５との電気的な接続状態を切り替えるスイッチである。つまり，プリンタ２００は，清掃吐出スイッチ６８の制御により，クリーナ５６と吐出電源６５とが接続される接続状態と，クリーナ５６と吐出電源６５とが接続されない非接続状態と，を切り替える。清掃吐出スイッチ６８の接続状態は，第１接続状態の一例であり，清掃吐出スイッチ６８の非接続状態は，第１非接続状態の一例である。
【００６８】
転写吐出スイッチ６９は，転写部５５と吐出電源６５との電気的な接続状態を切り替えるスイッチである。つまり，プリンタ２００は，転写吐出スイッチ６９の制御により，転写部５５と吐出電源６５とが接続される接続状態と，転写部５５と吐出電源６５とが接続されない非接続状態と，を切り替える。転写吐出スイッチ６９の接続状態は，第２接続状態の一例であり，転写吐出スイッチ６９の非接続状態は，第２非接続状態の一例である。
【００６９】
また，本形態では，清掃スイッチ６１は，第３のスイッチ部材の一例であり，転写スイッチ６３は，第４のスイッチ部材の一例である。そして，清掃スイッチ６１のオン状態は，第３接続状態の一例であり，清掃スイッチ６１のオフ状態は，第３非接続状態の一例である。また，転写スイッチ６３のオン状態は，第４接続状態の一例であり，転写スイッチ６３のオフ状態は，第４非接続状態の一例である。
【００７０】
本形態のプリンタ２００は，清掃吐出スイッチ６８と転写吐出スイッチ６９とを別々に備えているので，清掃吐出スイッチ６８と転写吐出スイッチ６９とをともに接続状態とすることができる。そのため，第１の形態のプリンタ１００とは異なり，図７のタイムチャートに示すように，クリーナ５６と転写部５５との両方に，同時に吐出バイアスが印加される期間を設けることができる。
【００７１】
具体的に，プリンタ２００は，図７に示すように，印刷指示の受け付け後，印刷準備動作中に，転写吐出スイッチ６９を接続状態として，転写部５５からの吐き出しの実行を開始させる。そして，プリンタ２００は，転写吐出スイッチ６９を接続状態としてから，所定の時間Ｔａ後であって，転写吐出スイッチ６９が接続状態となっている間に，清掃吐出スイッチ６８を接続状態とする。所定の時間Ｔａは，感光体５１のうち，転写部５５に対向している箇所がクリーナ５６に対向する位置に到達するまでの時間であり，転写部５５とクリーナ５６との配置と，感光体５１の周速とから求められる。
【００７２】
そして，プリンタ２００は，転写吐出スイッチ６９を接続状態とした後，期間Ｔｔ以上の時間が経過した後，転写吐出スイッチ６９を非接続状態とする。また，プリンタ２００は，清掃吐出スイッチ６８を接続状態とした後，期間Ｔｃ以上の時間が経過した後，清掃吐出スイッチ６８を非接続状態とする。期間Ｔｔと期間Ｔｃは，第１の形態にて説明した各期間と同じ期間である。本形態のプリンタ２００では，期間Ｔｔと期間Ｔｃとに重なりを設けることができるので，第１の形態のプリンタ１００に比較して，転写部５５とクリーナ５６との両方からの吐き出しの合計時間を短時間にできる。
【００７３】
また，プリンタ２００は，印刷動作の終了後，転写部５５への転写バイアスの印加を停止した後，転写吐出スイッチ６９を接続状態として転写部５５からの吐き出しを実行する。また，プリンタ２００は，印刷動作の終了後，クリーナ５６への清掃バイアスの印加を停止した後，清掃吐出スイッチ６８を接続状態としてクリーナ５６からの吐き出しを実行する。印刷終了後の吐き出しにおいても，プリンタ２００は，それぞれ期間Ｔｔまたは期間Ｔｃ以上が経過したら，各スイッチをオフとする。この場合にも，期間Ｔｔと期間Ｔｃとに重なりを設けることができるので，第１の形態のプリンタ１００に比較して吐き出しの合計時間を短時間にできる。
【００７４】
なお，本形態においても，クリーナ５６への，清掃バイアスと吐出バイアスとの同時印加は回避する。つまり，清掃吐出スイッチ６８を接続状態としている間は，清掃スイッチ６１をオフにする。また，転写部５５への，転写バイアスと吐出バイアスとの同時印加は回避する。つまり，転写吐出スイッチ６９を接続状態としている間は，転写スイッチ６３をオフにする。さらに，転写期間Ｔｓ中には清掃吐出スイッチ６８と転写吐出スイッチ６９とを非接続状態のままとし，転写ニップ５５１にシートＳが無い期間に清掃吐出スイッチ６８と転写吐出スイッチ６９との切り替えを行う。従って，スイッチの切替動作による画質への影響は抑制されている。
【００７５】
以上，詳細に説明したように，第２の形態のプリンタ２００によれば，第１の形態のプリンタ１００と同様に，クリーナ５６へ吐出バイアスを印加する電源と転写部５５へ吐出バイアスを印加する電源とを共通化し，１つの吐出電源６５としている。従って，従来の構成に比較して電源の個数を減らすことができる。
【００７６】
特に，第２の形態のプリンタ２００では，清掃吐出スイッチ６８と転写吐出スイッチ６９とを備えているため，第１の形態と比較して多様な接続状態を選択でき，トナーの吐き出しに要する時間を短時間にできる。一方，第１の形態では，第２の形態と比較してスイッチの数が少ないため，構成がシンプルであり，コストが低い。
【００７７】
なお，本実施の形態は単なる例示にすぎず，本発明を何ら限定するものではない。したがって本発明は当然に，その要旨を逸脱しない範囲内で種々の改良，変形が可能である。例えば，プリンタに限らず，複写機，スキャナ，ＦＡＸ装置等，電子写真方式での画像形成機能を備えるものであれば適用可能である。
【００７８】
また，例えば，各電源として，オンオフの切り替え機能を有する電源を使用してもよい。その場合には，清掃スイッチ６１や転写スイッチ６３を設けなくてもよい。つまり，清掃スイッチ６１や転写スイッチ６３に代えて，清掃電源６４や転写電源６６の切り替え機能を使用してもよい。また，第１の形態のプリンタ１００において，吐出電源６５にオンオフの切り替え機能を有するものを使用すれば，吐出スイッチ６２として，２点切替スイッチを使用できる。
【００７９】
また，上記の各形態では，清掃電源６４と吐出電源６５とは，固定電圧を出力する電源であるとしたが，出力電圧を変更できる電源としてもよい。また，転写電源６６は，出力電圧を可変な電源であるとしたが，固定電圧の電源としてもよい。
【００８０】
また，例えば，第１の形態では，吐出スイッチ６２として機械的な切り替えスイッチを使用するとしたが，これに限らない。そして，第１接続状態と第２接続状態との一方から他方に切り替える際の移行期間はなくてもよい。あるいは，切り替える際に，両方に接続される期間があってもよい。
【００８１】
また，クリーナは，スポンジローラに限らず，例えば，ゴムローラ，ブラシローラ等にて実施することも可能である。また，クリーナは，感光体５１に接触してトナーを掻き取る掻き取り部材と，掻き取り部材から電気的にトナーを引き寄せて一時的に貯留する貯留部材と，の組合せによる構成であってもよい。例えば，貯留部材への印加バイアスの極性を変更することで，清掃と吐き出しとを切り替えることができれば，この構成でも本発明を実施できる。その場合には，クリーナ部材は，回転体でなくてもよい。
【００８２】
また，上記の各形態では，印刷動作の前後にトナーの吐き出しを実行するとしたが，前か後かのいずれか一方のみとしてもよい。印刷動作の前に吐き出しを実行すれば，印刷時にはクリーナ５６がきれいな状態となっているので，良好な画質が期待できる。一方，印刷動作の後に吐き出しを実行すれば，トナーの帯電状態が良好なうちに吐き出しが実行され，吐き出されずにクリーナ５６に残るトナーの量が少ない可能性が高い。
【００８３】
また，上記の各形態では，クリーナ５６または転写部５５に吐出バイアスの印加を開始してから，それぞれ１回転分の時間以上継続して吐出バイアスを印加するとしたが，これに限らない。つまり，１回転分より短い時間で吐出バイアスの印加を停止してもよい。ただし，１回転分以上継続して吐出バイアスを印加すれば，各部材の全周にわたって吐出させることができるので好ましい。
【００８４】
また，上記の各形態では，印刷動作の終了後，清掃電源６４からクリーナ５６に清掃バイアスが印加されている間にも，転写部５５からの吐き出しを行うとしたが，これに限らない。例えば，クリーナ５６に清掃バイアスが印加されている間は，転写部５５からもクリーナ５６からも吐き出しを行わないとしてもよい。このようにすれば，転写部５５から吐き出されたトナーがクリーナ５６に引きつけられ，クリーナ５６に多くのトナーが溜まることを抑制できる。ただし，クリーナ５６への清掃バイアスの印加と，転写部５５からの吐き出しとを同時に行えば，吐き出し時間の短縮を図ることができる。
【００８５】
また，上記の各形態では，転写部５５からの吐き出しを，クリーナ５６からの吐き出しよりも先に開始するとしたが，逆順でもよい。例えば，印刷動作の終了後，清掃電源６４からクリーナ５６への清掃バイアスの印加が終了した後，まず，クリーナ５６からの吐き出しを行い，その後，転写部５５からの吐き出しを行ってもよい。
【００８６】
また，例えば，本発明は，帯電極性が負極性のトナーを使用する画像形成装置にも適用可能である。その場合には，各部に印加する各種のバイアスは，全て，上記の各形態にて説明したものと逆の極性とすればよい。また，現像部５４によるトナーの回収方法は上記の各形態に記載した例に限らない。
【００８７】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【００８８】
３１  ＣＰＵ
５１  感光体
５４  現像部
５５  転写部
５６  クリーナ
６１  清掃スイッチ
６２  吐出スイッチ
６３  転写スイッチ
６４  清掃電源
６５  吐出電源
６６  転写電源
６８  清掃吐出スイッチ
６９  転写吐出スイッチ
１００，２００  プリンタ
【図１】
2017142278.tif 000003
【図２】
2017142278.tif 000004
【図３】
2017142278.tif 000005
【図４】
2017142278.tif 000006
【図５】
2017142278.tif 000007
【図６】
2017142278.tif 000008
【図７】
2017142278.tif 000009